(57)【特許請求の範囲】
【請求項１】
水密の一体的な面形成物を有する、自動車の荷物室床用カバーにおいて、
面形成物（２、2a、2b、2c）が、フレキシブルな折り畳み部分（６、6a、6b、７、８、９、9a）を有し、
前記折り畳み部分が面形成物（２から2c）を少なくとも部分的に形状の安定した中央部分（３）と、少なくとも部分的に形状が安定し、中央部分（３）のすべての側部で側面を形成する多数の側方部分（４）とに分割し、
前記側方部分が折り畳み部分（６、6a、6b、７、８、９、9a）によって少なくとも中央部分（３）と同平面のカバー位置と、中央部分（３）に対して角度をもって立ち上げられた機能位置との間で移動できるように配置されており、
側方部分（４、５）に、角度をもって立ち上げられた機能位置において側方部分（４、５）を互いに対して取り外し可能に固定するための固定手段（10、12;15、16;17から19）が付設され、ているものにおいて、
隣接する側方部分（４、５）の間の折り畳み部分として、少なくとも折曲すべき個所（９、9a）に沿ってフレキシブルな角部分（６、6a、6b）が設けられており、前記角部分が面形成物（２から2c）を矩形の面形状になるように補足し、
各角部分の折曲すべき箇所はフィルム継ぎ手によって形成されており、かつ折曲すべき箇所は、面形成物の中央部分の角から外側輪郭の角へそれぞれ斜めに延びており、
角部分（６から6b）が、機能位置において、それぞれ三角形状のひだとして重なるように折り畳まれており、
固定手段が、角部分と少なくとも２つの互いに対向する側方部分に付設されていて、
固定手段として、スナップ、面ファスナーまたはマグネット装置の形状の付着機構が設けられ、
各角部分（6a）の一部が直接それぞれの側方部分（４）に固定可能であるように、固定手段（15、16）の高さで角部分（6a）に切欠き（14）が形成されている、ことを特徴とする自動車の荷物室床用カバー。
【請求項２】
側方部分（４、５）は、側方部分（４、５）が中央部分（３）上へ平らに畳まれたコンパクト位置へ移動できるように、中央部分（３）の寸法に適合され、かつ折り畳み部分（６、6a、6b）によって可動に配設されていることを特徴とする請求項１に記載のカバー。
【請求項３】
面形成物（２から2c）が、プラスチックフィルムの２つの層を有し、その層が互いに密に結合されており、２つの層の間に少なくとも部分的に補強面部材が挿入されていることを特徴とする請求項１または２に記載のカバー。
【請求項４】
中央部分（３）と側方部分（４、５）との間の折り畳み部分（７、８）が、フィルム継手（７、８）によって形成されていることを特徴とする請求項３に記載のカバー。
【請求項５】
少なくとも２つの互いに対向する側方部分（５）に、グリップ切欠き（13）が形成されていることを特徴とする請求項１から４のいずれか１項に記載のカバー。
【請求項６】
側方部分内の補強面部材が、側方部分の高さの一部にわたってだけ延びており、その場合に補強面部材は、折り畳まれたコンパクト位置において共通の平面で互いに隣接して配列されるような寸法に設計されていることを特徴とする請求項３に記載のカバー。
【請求項７】
拡大された積荷室を形成するために、少なくとも１つの他のカバー（2d、2e）を取り外し可能に固定するために、カバー（2d、2e）の側方部分に、付加的な固定手段（20、21）が設けられていることを特徴とする請求項１から６のいずれか１項に記載のカバー。
【請求項８】
自動車内に位置決めするための折り畳み容器において、拡大された積荷室を形成しながら、請求項１から７の１項または複数項に記載の少なくとも２つのカバーが、取り外し可能に組み合わされていることを特徴とする折り畳み容器。
【請求項９】
カバー（2d、2e）を結合するために、カバー（2d、2e）の側方部分に固定手段が、特にスナップ、面ファスナー、またはマグネット装置のような付着機構の形状で設けられていることを特徴とする請求項８に記載の折り畳み容器。
【発明の詳細な説明】
本発明は、水密で一体的な面形成物を有する、自動車の荷物室床用カバーに関する。
この種のカバーは、BMWツーリング型乗用車について、一般に知られている。公知のカバーは、突起を有する面形成物として形成されており、それが乗用車の荷物室床上に載置されて、その端縁が引き上げられて、一周する側壁とされ、従って槽形状の形成物とされる。面形成物は、比較的不安定であって、荷物室床上に載置することによって安定化される。
本発明の課題は、その使用可能性が改良された、冒頭で挙げた種類のカバーを提供することである。
この課題は、面形成物がフレキシブルな折り畳み部分を有し、その折り畳み部分が面形成物を少なくとも部分的に形状の安定した中央部分と、少なくとも部分的に形状が安定し、中央部分のすべての側の側面を形成する多数の側方部分とに分割し、その側方部分は折り畳み部分によって少なくとも中央部分と同一平面のカバー位置と、中央部分に対して角度をもって立ち上げられた機能位置との間で移動可能に配置されていること、並びに側方部分に、角度をもって立ち上げられた機能位置において側方部分を互いに対して取り外し可能に固定するための固定手段が付設されていることによって解決される。それによって、面形成部分をまず、荷物室床のための水密で平坦なカバーとして、そしてまたボックス形状の容器として使用することが可能になる。この容器は、簡単な方法で車両から取り外して、移送容器として使用することができる。
本発明の実施形態においては、側方部分はフレキシブルな折り畳み部分と共に、立ち上げられた機能位置において一周する水密の側壁として組み立てられる。ボックス状の容器として用いられる、その機能位置において面形成物を水密に形成することにより、車両内に水が流入した場合でもそれが荷物室底に達することはないので、荷物室床が汚れることがない。
本発明の他の実施形態においては、側方部分は、側方部分を中央部分上に平たく折り畳まれるコンパクト位置へ移動させることができるように、中央部分の寸法に適合され、かつ折り畳み部分によって可動に配置されている。それによって、カバーとそれに伴って面形成物の使用可能性と機能可能性がさらに改良される。というのは、面形成物をコンパクトな大きさに畳むことができ、車両の内部または外部にしまっておくことができるからである。さらに、面形成物はそのコンパクト位置において、簡単かつ場所をとらずに移送することができる。従ってこの面形成物は特に、比較的大量の買い物に適している。
本発明の他の実施形態においては、面形成物は互いに密に結合された２層のプラスチックフィルムを有し、その場合に２つの層の間には少なくとも部分的に補強面部材が挿入されている。補強面部材はプレート形状または細片形状に形成することができる。好ましくは比較的長い利用期間にわたっても面形成部材の優れた機能を維持するために、補強面部材は破壊強く形成される。
本発明の他の実施形態においては、中央部分と側方部分との間の折り畳み部分は、フィルム継手によって形成されている。これは特に簡単かつ安価な成形方法である。
本発明の他の実施形態においては、隣接し合う側方部分の間の折り畳み部分として、少なくとも折曲すべき個所に沿ってフレキシブルな角部分が設けられており、その角部分が面形成物を矩形の面形状になるように補足する。角部分は、定められた折曲すべき個所に沿ってのみフレキシブルであってもよいし、あるいはその全面にわたってフレキシブルに形成することもできる。
本発明の他の実施形態においては、固定手段としてスナップ、面ファスナーまたはマグネット装置の形状の付着装置が設けられている。それによって特に簡単な手段で、側方部分を立ち上げられた機能位置に確実に固定することが保証される。特に安定した固定は、面ファスナー装置によって得られる。
本発明の他の実施形態においては、終端部分の１層がそれぞれの側方部分の直接固定可能であるように、固定手段の高さにおいて終端部分に切欠きが形成されている。それによって、面形成物の機能位置のために必要な固定手段の数が減少される。
本発明の他の実施形態においては、面形成物の端縁領域に、周面にわたって分配されて多数の保持部材が設けられており、その保持部材によって面形成物はカバー位置において積荷室底の対応するホルダに固定可能である。それによって面形成物を広げられた位置においてより確実に位置決めすることができる。好ましくは面形成物は積荷室床のホルダの間で、弾性的なループ部材によって張り固定が可能である。
本発明の他の実施形態においては、少なくとも２つの互いに対向する側方部分に、グリップ切欠きが形成されている。それによって面形成物をその機能状態で運ぶことが容易になる。
本発明の他の実施形態においては、面補強部材が側方部分内で側方部分の高さの一部にわたってのみ延びており、その場合に補強面部材は、折り畳まれたコンパクト位置において共通の平面で互いに隣接して配列されるような寸法に設計されている。それによって、面形成物は折り畳まれたコンパクト位置においてさらに減少された高さを有し、すなわち面形成物は極めて平らに折り畳まれる。
本発明の他の利点と特徴は、請求項並びに図面を用いて示す、本発明の好ましい実施例についての以下の説明から明らかである。
図１は、本発明に基づくカバーの実施形態を、自動車の荷物室床上に広げたカバー位置で示す斜視図であり、
図２は、図１に示すカバーを、広げたカバー位置で示すものであり、
図３は、図２に示すカバーを、部分的に立ち上げた中間位置で示すものであり、
図４は、図１から３に示すカバーを、ボックス形状の容器として立ち上げた機能位置において示すものであり、
図５は、本発明に基づくカバーの他の実施形態を、広げたカバー位置で示すものであり、
図６は、図５に示すカバーを、部分的に立ち上げた中間位置で示しており、
図７は、図５と６に示すカバーを立ち上げた機能位置において示しており、
図８は、図７に示すカバーを、折り畳んだコンパクト位置において示すものであり、
図９は、本発明に基づく、図７と同様のカバーの他の実施形態を示し、
図10は、本発明に基づくカバーの他の実施形態を、広げたカバー位置で示す上面図であり、
図11は、図10に示すカバーを、立ち上げた機能位置で拡大して示す斜視図であり、
図12は、本発明に基づくカバーの他の実施形態を、容器として立ち上げた機能位置において示すものであり、
図13は、図12に示す３つのカバーから組み立てられた、本発明に基づく折り畳み容器の実施形態を示し、
図14は、本発明に基づくカバーの他の実施例を、立ち上げた機能位置において示すものであり、
図15は、図14に示す２つのカバーから組み立てられた、図13と同様の他の折り畳み容器を示している。
荷物室床１上に、図１に示すように、カバーが一体的な面形成物２の形状で、広げられたカバー位置で載置されている。平坦な面形成物２は、折り畳み部分を形成する縦と横に延びるフィルム継手７、８によって、矩形の中央部分３と、両方の長手側において中央部分３の側面を形成する２つの側方部分４と、両方の幅狭側において中央部分３の側面を形成する２つの側方部分５とに分割されている。補足して、互いに隣接する側方部分４、５の間に、全部で４つの角部分６が設けられている。
面形成物２も矩形の外側輪郭を有し、中央部分３は面形成物の内部に同心に設けられているので、側方部分４、５はそれぞれ等しい幅を有し、それによってそれらは図４に示す立ち上げた機能位置において、同じ高さで終わっている。面形成物２は、プラスチックの２つの層によって形成されており、その層の間にはプレート部材の形状の補強面部材が挟み込まれている。好ましくは破壊強くて重量の軽いプラスチックまたは金属から形成されている種々のプレート部材が、中央部分３と側方部分４、５の寸法に合わせられている。
フィルム継手７、８の領域において、側方部分４、５と中央部分３の種々のプレート部材が互いに分離されており、プラスチックフィルムの２つの層は、このフィルム継手の領域においては、好ましくは溶接によって互いに結合されている。同様に折り畳み部分として用いられる角部分６は、図示の実施例においては、対応するプレート部材によって補強されていない。従って角部分６は、全体としてフレキシブルに形成されている。しかし各角部分６は、フィルム継手によって形成されて、中央部分３の角から面形成物２の外側輪郭の角まで対角線状に延びる折曲すべき個所９を有する。
折曲すべき個所９がすでに十分な可撓性を保証する場合には、角部分６にも補足的に、各折曲すべき個所９の両側へ三角形状の補強面部材を設けることができる。プラスチックフィルム裁断片は、面形成物２の外側輪郭の領域で、従って一周する端縁領域で互いに密に溶接されている。幅狭側に設けられている短い側方部分５には、それぞれグリップ切欠き13が形成されている。
面形成物２の各角部には、さらに、弾性的に撓むループ10が設けられており、そのループは車両固定のフック形状の保持装置11に懸架することができ、その場合にそのループは車両固定の保持装置11間で、面形成物２がそのカバー位置において平面的に張り広げられるように、張られている。
特に図２から４によって明らかにされるように、２つの対向するループ10には、さらに、保持バー12が設けられており、その保持バーによってループ10は付加的に、側方部分４、５と角部分６を立ち上げられた機能位置に固定するための固定手段として用いられる。すなわち、折り畳み部分として用いられるフィルム継手７、８、９によって、その広げられたカバー位置から、図３と４に示すように、ボックス形状の容器として用いられる機能位置へ移動させることができる。そのために簡単な方法で、側方部分４、５が上方へ立ち上げられる。同時に角部分６が内側へ、あるいは外側へ折り返されて、互いに対になるように向き合わされる。
保持バー12をループ10へ通すことによって、角部分６は互いに重なり合って折り畳まれた位置に固定されて、それによって同時に側方部分４、５も互いに対して固定される。面形成物２は水密に形成されており、角部分６は機能位置においては側方部分４、５の上端縁の高さまで延びているので、ボックス容器として形成された面形成物２の水密の底領域が形成される。
本発明の図示されていない実施例においては、角部分６は決められた折るべきラインなしで、完全にフレキシブルに形成されている。その他の点では、面形成物の機能については、何ら変化していない。
図５から８に示す、カバーとして用いられる面形成物2aは、図１から４を用いて上述した実施例にほぼ相当する。従って同一の部品および部分には、同一の参照符号が設けられている。ただ、角部分6aと、図７に示す立ち上げた機能位置における面形成物2aの固定方法が、上述した実施例とは異なるように形成されている。側方部分４の角部分6aの固定と、それに伴って側方部分４、５の互いに対する固定は、図から８に示す実施例においては、面ファスナー15、16装置によって行われる。
図４に示すように角部分が二重に重なることにより、より多い数の面ファスナー装置を設けなければならないことを防止するために、各折曲すべき個所9aの片側の角部分6aには、それぞれ切欠き14が形成されており、その切欠きは、それぞれの面ファスナー部分15、16の位置に適合されている。従って、各角部分6aにおいて、切欠き14に隣接する面部分だけに面ファスナー部分15を設ければ、十分である。
側方部分４においてはそれぞれ等しい高さで、各角部分6aに、関連する面ファスナー部分16が設けられており、その場合に角部分6aは折り畳まれた状態においては、角部分6aの面ファスナー部分15を有する部分が外側に来て、従って内側に位置する、切欠き14によって減少された部分を覆うように、折り畳まれる。面ファスナー装置15、16を外した後に面形成物2aを、図８に示すように、細く平らに折り畳んだコンパクト位置へ折り畳むことも可能である。この位置において、面形成物2aは、中央部分３の面寸法に相当する外側寸法しか持たない。
図９に示す実施例は、図５から８を用いて上述した実施例にほぼ相当する。しかし、この面形成物2bにおいては、角部分6bには切欠きは形成されておらず、むしろフラップ状に形成されている。従って角部分6bの各三角形状のフラップ部分に、面ファスナー装置を設けて、それによってまず２つのフラップ部分を互いに結合して、さらにそれぞれ内側のフラップ部分を側方部分の外側ないしは内側へ固定しなければならない。
図５から８に示す面形成物2aと同様に構成されている、図示されていない実施例においては、図８に示すように折り畳んだコンパクト位置において互いに重なり合う側方部分４のプレート部材に、部分的にのみ補強面部材が設けられている。さらに各側方部分４には、細片形状の補強面部材が設けられており、それはただ各側方部分４の高さのほぼ半分まで延びており、かつ中央部分３から距離をおいて、側方部分４の上方の端縁領域に配置されている。
従って側方部分４を図８に示す折り畳んだコンパクト位置へ折り込むと、細片形状の補強面部材は互いに平行に並び、その場合に各側方部分４の残りのフレキシブルな部分は、隣接する側方部分の上方ないし下方を通るように案内される。細片形状の補強面部材は、共通の平面に位置するので、面形成物はそのコンパクト位置において特に平坦に折り畳むことができる。
図10と11に示す実施例においては、面形成物2cは、図１から４に示す面形成物２または図９に示す面形成物2bにほぼ相当する。しかし面形成物2cは、側方部分４、５の互いに対する異なる固定方法を有する。そのために、互いに対向する側方部分４の上方の端縁には、折返しフラップ17が設けられており、それが各側方部分４のほぼ全長にわたって延びている。各折返しフラップ17の方側には面ファスナー細片19が配置されており、その面ファスナー細片に対して、図11に示すように、角部分６の外側と側方部分４の外側に対応する面ファスナー細片部分が設けられている。側方部分４、５を立ち上げて、角部分を外側へ折り返した後に、各折返しフラップ17は簡単な方法で外側へ折り返されて、面ファスナー細片部分18上へ押圧される。それによって、角部分６と側方部分４との締付けと固定並びにそれに伴って側方部分４、５の互いに対する固定が得られる。
図12と14に示すカバー2d、2eは、図５から７との付属の説明に示されているカバー2aとほぼ等しい。2dと2eにおける唯一の差は、付加的な固定手段20、21が幅広の、ないしは幅狭の側方部分に設けられていることであって、それらは垂直ないし水平に整合された面ファスナー細片として形成されている。この付加的な固定手段によって、図13と15に示すように、２つ以上のカバー2d、2eをその幅狭側を介して（図13）またはその幅広側を介して（図15）組み合わせることが可能であって、その場合に付加的な固定手段（20、21）は好ましくは、カバー2d、2eの折り畳み部分に初めから設けられている面ファスナー細片が、これら付加的な固定手段20、21に固定できるように、位置決めされている。それによって、図13に示すように長くて細い折り畳み容器あるいは図15に示すように短くて太い折り畳み容器を、それぞれ必要とされる荷物室に従って組み立てることが可能になる。この折り畳み容器は、図５から７に示す実施例についても同様であるが、該当する自動車の荷物室に使用することができる。
【図１】
0003540330.tif 000002
【図２】
0003540330.tif 000003
【図３】
0003540330.tif 000004
【図４】
0003540330.tif 000005
【図５】
0003540330.tif 000006
【図６】
0003540330.tif 000007
【図７】
0003540330.tif 000008
【図８】
0003540330.tif 000009
【図９】
0003540330.tif 000010
【図１０】
0003540330.tif 000011
【図１１】
0003540330.tif 000012
【図１２】
0003540330.tif 000013
【図１３】
0003540330.tif 000014
【図１４】
0003540330.tif 000015
【図１５】
0003540330.tif 000016